(57)【特許請求の範囲】
【請求項１】
標準モードを含む、異なる複数の補聴処理モードを有する補聴器を調整するための補聴器調整装置であって、
前記補聴器を調整するための情報を表示可能な表示部と、
前記標準モードでの補聴処理および追加の補聴処理が実行される動作モードが、前記補聴器において有効に動作しているかどうかを示す動作モード情報と、前記標準モードでの補聴処理により得られる第１の処理音の音量と、前記動作モードでの補聴処理により得られる第２の処理音の音量と、を前記表示部に表示させる表示制御部と、
を備え、
前記標準モードでの補聴処理とは、前記補聴器の使用者の聴力に応じた補聴処理であり、
前記追加の補聴処理とは、前記補聴器の使用環境に応じて前記標準モードでの補聴処理に追加される補聴処理である、
補聴器調整装置。
【請求項２】
前記表示制御部は、前記動作モード情報を表示するための第１表示領域と、前記第１の処理音の音量および前記第２の処理音の音量を表示するための第２表示領域と、を前記表示部に表示させる、
請求項１に記載の補聴器調整装置。
【請求項３】
前記表示制御部は、前記複数の補聴処理モードのうち、前記補聴器に設定された設定モードの情報を表示するための第３表示領域を前記表示部に表示させる、
請求項１又は２に記載の補聴器調整装置。
【請求項４】
前記表示制御部は、互いに対比された、前記第１の処理音の音量と、前記第２の処理音の音量と、を前記表示部に表示させる、
請求項１から３のいずれかに記載の補聴器調整装置。
【請求項５】
前記表示制御部は、互いに対比された、前記第１の処理音の音量と、前記第２の処理音の音量と、所定の音量範囲と、を前記表示部に表示させる、
請求項１から３のいずれかに記載の補聴器調整装置。
【請求項６】
前記補聴器と通信可能に配置され、音源に基づいて前記標準モードでの補聴処理により得られた前記第１の処理音と、前記音源に基づいて前記動作モードでの補聴処理により得られた前記第２の処理音と、前記動作モード情報と、が前記補聴器から入力される通信部をさらに備えた、
請求項１から５のいずれかに記載の補聴器調整装置。
【請求項７】
前記補聴器と通信可能に配置され、前記補聴器のマイクで取得された音源に基づく音情報と、前記動作モード情報と、が前記補聴器から入力される通信部と、
前記補聴器からの前記音情報および前記動作モード情報に基づいて、前記標準モードでの補聴処理により得られる前記第１の処理音の音量と、前記動作モードでの補聴処理により得られる前記第２の処理音の音量と、を算出するシミュレーション部と、をさらに備えた、
請求項１から５のいずれかに記載の補聴器調整装置。
【請求項８】
前記表示制御部は、前記表示部に、周波数帯に対する音量をグラフにより表示させるとともに、前記第１の処理音の音量に対応するグラフおよび前記第２の処理音の音量に対応するグラフを重ね合わせて、それぞれを互いに異なる色を用いて表示させる、
請求項１から７のいずれかに記載の補聴器調整装置。
【発明の詳細な説明】
【技術分野】
【０００１】
本発明は、使用者の聴力などの諸条件に応じて、補聴器の調整を行うための補聴器調整装置に関する。
【背景技術】
【０００２】
補聴器は、補聴器調整装置により、使用者の聴力に合わせて調整することができる。
例えば、特許文献１には、補聴器調整過程における補聴器調整装置の表示画面が開示されている。すなわち、横座標が周波数（ヘルツ（Ｈｚ））、縦座標が補聴器からの出力音の音量（ｄＢ）であるグラフに、補聴器使用者の不快閾値（uncomfortable loudness level（ＵＣＬ））および聴力閾値（hearing threshold level（ＨＴＬ））が表示される。このグラフに、各周波数帯における、補聴器から出力される最大音レベル（ピーク標識）が示される。ピーク標識がＵＣＬとＨＴＬとの間にあれば、このことは補聴器使用者が適切に音を聞き取ることができることを意味している。したがって、このグラフを用いて、補聴器調整の妥当性が検証される。
【先行技術文献】
【特許文献】
【０００３】
【特許文献１】特表２００９−５３１８８３号公報
【発明の概要】
【発明が解決しようとする課題】
【０００４】
近年のデジタル補聴器には、使用環境ごとに最適な補聴処理が可能になるよう、様々な付加機能が用意されている。付加機能は、雑音の多い環境や電話中の環境のような特殊な環境にそれぞれ適合できるよう、補聴器のマイクで捉えられた音の特徴に応じて自動的に有効化、もしくは無効化される。
【０００５】
このような環境に応じた動作（動作モード）は、補聴器調整者にとってその動作モードが有効に動作しているかどうかを判断することが難しい場合がある。例えば、調整対象の補聴器の動作モードが有効に動作していないにも関らず、動作モードが有効に動作していると誤って認識したまま、調整者が補聴器を調整してしまうおそれがある。
【０００６】
このような状況で、例えば、特許文献１に記載の補聴器調整装置を用いて補聴器調整を行った場合、補聴器調整者は補聴器調整の妥当性を適切に検証することができない。この結果、補聴器の調整ミスを引き起こしてしまうおそれがある。なお、以下では、動作モードが有効に動作している状態を、「有効状態」ともいう。
【０００７】
本発明の目的は、状況に応じて有効状態となる付加的な機能をもつ補聴器において、補聴器調整時における動作モードを正しく認識できるようにして、補聴器の調整ミスを抑制することである。
【課題を解決するための手段】
【０００８】
ここに開示される補聴器調整装置は、標準モードを含む、異なる複数の補聴処理モードを有する補聴器を調整するための補聴器調整装置であって、表示部と、表示制御部と、を有する。表示部は、補聴器を調整するための情報を表示可能である。表示制御部は、標準モードでの補聴処理および追加の補聴処理が実行される動作モードが補聴器において有効に動作しているかどうかを示す動作モード情報と、標準モードでの補聴処理により得られる第１の処理音の音量と、前記動作モードでの補聴処理により得られる第２の処理音の音量と、を表示部に表示させる。標準モードでの補聴処理とは、補聴器の使用者の聴力に応じた補聴処理である。追加の補聴処理とは、補聴器の使用環境に応じて標準モードでの補聴処理に追加される補聴処理である。
【０００９】
この補聴器調整装置では、表示制御部が動作モード情報および音量を表示部に表示させる。これにより、補聴器調整者は、補聴器において動作モードが実際に動作しているかどうかを認識することができる。つまり、補聴器調整者は、補聴器において標準モードでの補聴処理および追加の補聴処理が実行されていることを認識できる。したがって、補聴器調整者は、補聴器の状態を正確に認識しながら、音量を確認することができる。
【発明の効果】
【００１０】
このように、補聴器調整者は補聴器調整時の補聴器の動作モードを正しく認識しながら補聴器の調整を行うことができるので、誤調整の発生を抑制することができる。
【図面の簡単な説明】
【００１１】
【図１】本発明の一実施形態に係る補聴器調整装置の構成を示す図。
【図２】図１の補聴器調整装置の制御ブロック。
【図３】図１の補聴器調整装置の調整画面の一例を示す図。
【図４】図１の補聴器調整装置のモニタリング画面の一例を示す図。
【図５】図１の補聴器調整装置のモニタリング画面の一例を示す図。
【図６】図１の補聴器調整装置のモニタリング画面の一例を示す図。
【図７】図１の補聴器調整装置の制御ブロック。
【発明を実施するための形態】
【００１２】
〔第１実施形態〕
本発明の一実施形態に係る装置について、図１〜図６を用いて説明すれば以下の通りである。
【００１３】
＜構成＞
図を用いて本実施形態に係る補聴器調整装置１の構成を説明する。
【００１４】
図１に示すように、本実施形態の補聴器調整装置１は、表面部に配置された入力部２および表示部３と、音出力部４と、を備えている。この補聴器調整装置１と補聴器５とは、接続ボックス６、配線７、および配線８を介して接続されている。なお、補聴器５は、使用者９の左耳、右耳別に用意されるが、この図１ではその内の一つとして右耳用を示している。なお、左耳用の補聴器についても、以下の説明と同様に調整することができる。
【００１５】
調整者１０は、入力部２を介して補聴処理パラメタを変更することで補聴器５の設定を行う。このとき、音出力部４は、調整に対する評価を行うための評価音源を出力する。
【００１６】
図２は、補聴器調整装置１の制御ブロックを示している。
制御部１１は、例えば、プロセッサであり、補聴器調整装置１において処理の中心を担っている。制御部１１は、補聴器調整装置１の各機能ブロックの機能を制御する。
【００１７】
調整者１０により入力部２を介して調整値が入力もしくは変更されると、入力もしくは変更された調整値は、制御部１１を介して調整値メモリ１２に蓄えられるとともに、制御部１１を介して表示部３で表示される。入力部２を介して調整者１０により補聴器５への調整値の書き込み指示が入力されると、書き込み部１３により、接続ボックス６および補聴器５の入力部１４を介して、補聴器５の補聴処理パラメタ保持部１５に調整値が書き込まれる。制御部１１は、入力部２に入力された書き込み指示に基づいて、書き込み部１３を制御する。補聴処理パラメタ保持部１５は、使用者９の聴力に応じて決定されるゲインやコンプレッションのような補聴処理パラメタと、ハウリング抑制（フィードバックキャンセラー）機能、風抑制機能、モデラート機能などの付加的な機能の設定情報を記憶するものである。
【００１８】
補聴器５は、補聴処理パラメタ保持部１５に格納された補聴処理パラメタ等に基づいて、本体マイク１６（マイクの一例）により取得した音を補聴処理部１７で処理し、レシーバ１８から出力することで、使用者９の聴力に合わせた音を提供する。つまり、補聴処理部１７は補聴処理を実行する。
【００１９】
補聴器５は、アンプ１６ａと、Ａ／Ｄ（analog／digital converter）１６ｂと、アンプ１８ａと、Ｄ／Ａ（digital／analog converter）１８ｂ、とを有している。
【００２０】
アンプ１６ａは、本体マイク１６から出力されたアナログ音声信号を増幅する。Ａ／Ｄ１６ｂは、アンプ１６ａから出力されたアナログ音声信号をデジタル音声信号に変換する。
【００２１】
また、Ｄ／Ａ１８ｂは、補聴処理部１７から出力されたデジタル音声信号をアナログ音声信号に変換する。アンプ１８ａは、Ｄ／Ａ１８ｂから出力されたアナログ音声信号を増幅する。
【００２２】
通常、上記構成によって調整された補聴器５から出力される音を使用者９に聞いてもらい、その結果に基づいて更なる微調整が行われる。このときに補聴器５では、補聴器５の本体マイク１６で捕らえられた音の特徴により、付加的な機能の動作状態が変化する。
【００２３】
例えば、補聴器５の装着状態によっては、ハウリング（つまり、フィードバック）が発生することがある。補聴器５では、動作モードを有効化することにより、ハウリングの発生した周波数帯に対するゲインを抑える付加機能が有効になった状態にすることができる。しかしながら、この状態、つまり付加機能が実際に動作している状態では、調整者１０が補聴器５の調整を適切に行えないおそれがある。具体的には、付加機能の有効状態で設定されたゲインは、補聴器５が標準モードで動作をした場合に、使用者９にとって不適切なゲインである可能性がある。
【００２４】
上記課題を解決するために、本実施形態に係る補聴器調整装置１では、表示部３の動作モード表示領域（第１表示領域の一例）４１０には、補聴器５の動作モード情報４０が表示される。また、音量表示領域（第２の表示領域の一例）４２０には、動作モード（補聴処理モードの一例）において補聴処理された補聴処理音３９の音量および標準モード（補聴処理モードの一例）において補聴処理された補聴処理音３８の音量が、それぞれ区別できるように、使用者９の所望の音量範囲と合わせて表示される。
【００２５】
具体的には、入力部２を介して、調整者１０によって、使用者９に提供される評価音源（音源の一例）が選択される。選択された評価音源は、制御部１１により音源ＤＢ（data base）２４から読み出され、音出力部４を介して出力される。ここで、評価音源とは、音源ＤＢ２４に保存されている状態では、例えば、電子データであり、音出力部４から出力された状態では音声である。このようにして提示された評価音源が、補聴器５の本体マイク１６を介して補聴処理部１７に入力され、さらに補聴処理部１７で補聴処理され、レシーバ１８を介して使用者９に提供される。
【００２６】
このとき、本体マイク１６で捕らえられた音の特徴に応じて、付加機能の有効状態、すなわち動作モードが有効に動作した状態での補聴処理が行われ、動作モードでの補聴処理音３９が使用者９に対して提供される。本実施形態では、この動作に加えて、補聴処理部１７により、動作モードとは異なるモードでの補聴処理が実行される。つまり、前述のように、本体マイク１６で捕らえられた評価音源に対し、付加機能が無効な状態、すなわち標準モードでの補聴処理が、補聴処理部１７において行われる。このように、標準モードによって処理された補聴処理音３８が、動作モードによって処理された補聴処理音３９と概ね同時に生成される。
【００２７】
標準モードによって処理された補聴処理音３８および動作モードによって処理された補聴処理音３９は、付加機能の動作状態を表す動作モード情報４０とともに、出力部１９、接続ボックス６、および読み込み部（通信部の一例）２０を介して、補聴器調整装置１に伝達される。
【００２８】
ここで、標準モードでの補聴処理音３８を伝達するとは、標準モードによって処理された補聴処理音３８を表す信号を伝達することを意味している。同様に、動作モードによって処理された補聴処理音３９を伝達するとは、動作モードによって処理された補聴処理音３９を表す信号を伝達することを意味している。また、動作モード情報４０を伝達するとは、動作モード情報４０を表すモード信号を伝達することを意味している。
【００２９】
補聴器調整装置１では、動作モードによる補聴処理の結果、標準モードによる補聴処理の結果、およびモード信号に基づいて、補聴器５の調整に必要な情報をモニタリング部２１が表示部３に表示させる。このように、補聴器５を調整するための情報が、表示部３を介して調整者１０に提示される。
【００３０】
＜動作＞
以下、図を用いて本実施形態に係る補聴器調整装置１の動作をさらに詳細に説明する。
【００３１】
図３は、本実施形態に係る補聴器調整装置１の調整画面の一例を示している。
本実施形態では、モニタリングを開始する前に、調整画面３００が表示部３に表示される。調整者１０は、入力部２を介してスライダー３１を上下に操作することにより、使用者９の聴力に合ったゲインを周波数帯ごとに設定する。
【００３２】
また、調整者１０は、機能設定領域３２のボタンを押下することにより、付加機能の設定を行う。つまり、調整者１０は、設定モードを指定する。
【００３３】
例えば、図３は付加機能として風抑制機能が設定された状態を示している。このように、補聴器５では、標準モードでの補聴処理に加えて風抑制機能による補聴処理が実行されるモード（設定モードの一例、並びに動作モードの一例）が設定されている。
【００３４】
図３では、ボタンには“ＯＮ”もしくは“ＯＦＦ”が表示されている。調整者１０は、風抑制機能の横に配置され“ＯＮ”が表示されたボタンを押すことにより、風抑制機能を指定することができる。また、調整者１０は、“ＯＦＦ”が表示されたボタンを押すことにより、風抑制機能の指定を解除することができる。なお、調整者１０は、複数の付加機能を同時に指定することも可能である。
【００３５】
ここで、風抑制機能は、本体マイク１６に入力された音から風雑音に特有の音成分が検出されたときに、その音成分の影響を抑制する機能である。具体的には、風抑制機能は、風雑音に特有の音成分の影響を抑制するために、低周波数帯域のゲインを自動的に低下させる機能である。
【００３６】
このようにゲインなどの補聴処理パラメタと付加機能の設定が行われた後、さらにその他の一連の調整が補聴器５に対して行われる。その後、調整者１０がモニタリングボタン３３を押下することにより、表示部３の表示はモニタリング画面に遷移する。
【００３７】
なお、図３のゲイン表示領域３４に表示された３本の曲線は、例えば、上から順に、９０，６０，４０ｄＢＳＰＬの場合の出力特性を示す。
【００３８】
図４は、表示部３に表示されたモニタリング画面４００を示している。
調整者１０は、プルダウンメニュー４５により、評価用の音源のリストから、評価に使用したい評価音源を選択する。本実施形態では、風の強い街頭での会話が、評価音源として選択されている。調整者１０が開始ボタン３５を押下すると、音出力部４より、選択された評価音源が出力される。
【００３９】
評価音源が音出力部４から出力されると、補聴器５の本体マイク１６を介して補聴器５に評価音源が入力される。
【００４０】
補聴処理部１７では、使用者９の聴力に合わせた補聴処理パラメタおよび付加機能の設定状態に基づき補聴処理が行われる。補聴処理部１７は、本体マイク１６に入力された音について、フーリエ変換ＦＦＴ（fast Fourier transform）などの処理により周波数ごとの強さを分析した後、補聴処理パラメタを用いて周波数ごとに異なる増幅処理を行う。
【００４１】
それと共に、補聴処理部１７は、付加機能を動作させる必要があると判断した場合には、付加機能による調整をさらに行う。つまり、補聴処理部１７は、動作モードによる補聴処理を実施する。
【００４２】
補聴処理部１７は、増幅処理および付加機能による調整が施された信号を、逆フーリエ変換ＩＤＦＴ（inverse discrete Fourier transform）によって、再び波形に戻す処理を行う。調整中に検出される周波数ごとの音の強さ（つまり、スペクトラム情報）は、表示部３の画面上でモニタリングされる。ここで、音量はスペクトル情報を用いて表現できる。なお、補聴処理部１７は、例えば、スペクトル情報の特徴に基づいて、付加機能を有効に動作させるかどうかを判断する。
【００４３】
モニタリングでは、画面上に使用者９の不快閾値（ＵＣＬ）３６および聴力閾値（ＨＴＬ）３７が表示される。また、補聴処理パラメタを用いた増幅処理によって得られた補聴処理音（第１の処理音の一例）３８の音量、および補聴処理音３８に対して付加機能による補聴処理を実行して得られた補聴処理音（第２の処理音の一例）３９の音量、さらに付加機能の有効状態を表す動作モード情報４０が表示部３に表示される。
【００４４】
ＵＣＬ３６およびＨＴＬ３７は、音量範囲（所定の音量範囲の一例）を形成する。この音量範囲は、使用者９の聴力に合わせて設定され、使用者９の所望の音量範囲の一例である。
【００４５】
モニタリング部（表示制御部の一例）２１は、モニタリング画面４００を表示部３に表示させる。モニタリング画面４００は、動作モード表示領域４１０と、音量表示領域４２０と、設定モード表示領域４３０と、を含んでいる。
【００４６】
動作モード表示領域４１０には、動作モード情報４０が表示される。
音量表示領域４２０には、音量のグラフが表示される。
【００４７】
補聴処理音３８の音量および補聴処理音３９の音量は、音量表示領域４２０に表示される。つまり、補聴処理音３８の音量に対応するグラフおよび補聴処理音３９の音量に対応するグラフが、それぞれ異なる色を付されて、音量表示領域４２０に表示される。なお、異なる階調を有する同一色は、「異なる色」であるといえる。
【００４８】
設定モード表示領域４３０には、設定モードが表示される。
なお、図４、図５、および図６では、動作モード表示領域４１０、音量表示領域４２０、および設定モード表示領域４３０（第３表示領域の一例）が、それぞれ破線で示されている。これらの破線は説明のための仮想的な線である。
【００４９】
なお、補聴器５の付加機能は、設定されていても常に有効に動作するのではなく、本体マイク１６を介して入力された音がその付加機能に特有の条件に適合した場合に、有効状態となり（有効に動作し）、それ以外の場合は無効状態となる（有効に動作しない）。ここで、付加機能が有効に動作する（つまり、動作モードが有効に動作する）とは、付加機能が実際に動作していることを意味する。また、付加機能が有効に動作しない場合には、補聴器５は標準モードで動作する。
【００５０】
具体的には、図４中の右上の設定モード表示領域４３０に表示された「機能設定」は、補聴器５の付加機能が設定されているか否かを示している。そして、設定されている付加機能が実際に有効状態になった場合に、動作モード表示領域４１０には、動作モード情報４０として「動作中」と表示される。
【００５１】
補聴器５が標準モードで動作している場合には、動作モード表示領域４１０には、「動作中」の表示はなされない。この場合には、動作モード表示領域４１０には、例えば、「無効」と表示される。このように、動作モード情報４０は、補聴処理モードのうち、いずれのモードが補聴器５において有効に動作しているのかを示している。なお、複数の付加機能が同時に有効に動作することも有り得る。
【００５２】
補聴処理音３８の音量と、補聴処理音３９の音量とは、異なる着色、異なるテキスチャなどが付与されたグラフを用いて違いが判別できるように表示される。そして、このような表示を実行するために、補聴処理部１７より、補聴処理音３８、補聴処理音３９、および動作モード情報４０が、出力部１９、接続ボックス６、読み込み部２０を介して補聴器５から補聴器調整装置１に出力される。
【００５３】
このようにして得られたモニタリングを行うための情報は、補聴器調整装置１の表示部３を介して調整者１０に提示される。
【００５４】
図４に示すように、使用者９に対しては、付加機能である風抑制機能により処理された補聴処理音３９が提供される。その一方で、図４は、風抑制機能が働かない場合に、低周波数領域（１２５Ｈｚ、２５０Ｈｚ）の風雑音を含む補聴処理音３８が使用者９に提供されることを示している。
【００５５】
そのため、調整者１０は、標準モードにおける補聴処理によって得られる補聴処理音３８は風雑音の影響を強く受けていることを認識できる。また、標準モードでは、低周波数領域においてＵＣＬ３６を超えるような音が使用者９に提供されてしまうということを、調整者１０は認識できる。さらに、実際には付加機能である風抑制機能が動作しているため、補聴処理音３９が適切な音量で使用者９に提供されていることを、調整者１０は認識できる。ここで、ＵＣＬ３６およびＨＴＬ３７は、調整値メモリ１２に格納されている。
【００５６】
仮に、本実施形態の表示方法が採用されない場合、調整者１０は、１２５Ｈｚおよび２５０Ｈｚの音に対して調整が不足していると考え、これらの周波数帯でさらに音量を上げるように調整を行う可能性がある。つまり、風雑音がなければ本来適切に補聴器５が調整されていたにも関わらず、付加機能の動作状態が分からないため不適切に調整が行われてしまう可能性がある。本実施形態の表示方法を用いることでこのような不適切な調整を減らすことが出来る。
【００５７】
なお、上記では、風抑制機能を例にして補聴器調整装置１について説明したが、付加機能として風抑制機能以外が設定されていてもよい。
【００５８】
＜他の使用例＞
本実施形態に係る補聴器調整装置１の他の使用例を、図５を用いて説明する。
【００５９】
図５は、静かな環境での会話音を評価音源として使用している例でのモニタリング画面５００を示している。
【００６０】
モニタリング画面５００は、動作モード表示領域４１０と、音量表示領域４２０と、設定モード表示領域４３０と、を含んでいる。
【００６１】
ここで、図５で選択されている評価音源を使用者９に聞いてもらう直前に、それとは異なる評価音源を用いて補聴器５の評価を行ったとする。さらに、その直前の評価では、使用者９の補聴器５の装着状態が良好ではなかったため、音漏れが、ハウリングすなわちフィードバックを２ｋＨｚの周波数帯において発生させてしまっていたとする。
【００６２】
そして、ハウリング（フィードバック）を抑制するために、付加機能としてフィードバック抑制機能が設定されていたとする。つまり、補聴器５には、標準モードでの補聴処理に加えてフィードバック抑制機能による補聴処理が実行されるモード（設定モードの一例、並びに動作モードの一例）が設定されている。
【００６３】
このような状態に陥っていた場合には、図５に示す評価音源を用いている現時点ではハウリング（フィードバック）が発生していないにも関わらず、ハウリング情報が補聴器５においてキャンセルされない場合があり得る。ここでは、実際には発生していないハウリングが補聴器５で誤認識され、フィードバック抑制機能が有効状態となっているものとする。
【００６４】
このように、図５は、本来であれば付加機能が有効状態にならず、標準モードで動作するはずであるのに、何らかの理由で、付加機能が有効状態になっている場合を示している。
【００６５】
この場合には、調整者１０は、付加機能が有効状態になっていることに気付かず、標準モードで動作していると信じたまま、補聴器の調整を行ってしまう。その結果、補聴器の調整ミスを招いてしまうおそれがある。
【００６６】
図５は、上記のような状況において、静かな環境の会話が評価音源として使用者９に提供されている状態を示す。
【００６７】
このような状況において、調整者１０は、モニタリング画面５００を確認することにより、動作モードが有効に動作していることを認識できる。これにより、調整者１０は、補聴器５が誤ってハウリングを検出していることを知ることができる。そして、調整者１０は、本来評価音源に対しては標準モードでの補聴処理が施され、補聴処理音（第１の処理音の一例）４１が使用者９に提供されるはずであることを認識できる。
【００６８】
さらに、調整者１０は、フィードバック抑制機能が動作しているので、実際には補聴処理音（第２の処理音の一例）４２が使用者９に供給されていることを認識できる。つまり、調整者１０は、２ｋＨｚの周波数帯の音がユーザに不十分にしか提供されていないことを認識できる。
【００６９】
一方で、本実施形態の表示方法が採用されなければ、補聴処理音４２のみがモニタリング画面５００に表示されることになる。その場合に、モニタリング画面５００に従い補聴器５の調整を行ってしまうと、実際に使用者９が補聴器５を使用する際に、２ｋＨｚの周波数帯の音が必要以上に増幅されてしまうといった不具合が生じる。しかしながら、本実施形態の表示方法によりそのような不適切な調整を減らすことが出来る。
【００７０】
＜作用効果＞
ここで、第１実施形態に係る補聴器調整装置１の作用効果を説明する。
【００７１】
（１）
この補聴器調整装置１では、モニタリング部２１は、動作モード情報４０と、補聴処理音３８の音量と、補聴処理音３９の音量と、を表示部３に表示させる。そして、動作モード情報４０は、標準モードでの補聴処理および風抑制機能に基づいた補聴処理が実行される動作モードが補聴器５において有効に動作しているかどうか、を示している。
【００７２】
これにより、調整者１０は、補聴器５において動作モードが実際に動作しているかどうかを認識することができる。つまり、調整者１０は、補聴器５において、標準モードでの補聴処理に加えて風抑制機能に基づいた補聴処理が実行されていることを認識できる。したがって、調整者１０は、補聴器５の状態を正確に認識しながら、音量を確認することができる。
その結果、補聴器５の誤調整の発生を抑制することができる。
【００７３】
（２）
この補聴器調整装置１では、標準モードでの補聴処理により得られた補聴処理音３８の音量と、動作モードでの補聴処理により得られた補聴処理音３９の音量と、が表示部３に表示される。
【００７４】
これにより、調整者１０は補聴器５の状態をより確実に把握することができる。また、使用環境が補聴器５の出力音量に及ぼす影響を把握することができる。その結果、補聴器５をより適切に調整することが可能となる。
【００７５】
（３）
モニタリング部２１は、動作モード情報４０が表示された動作モード表示領域４１０と、補聴処理音３８の音量および補聴処理音３９の音量が表示された音量表示領域４２０と、設定モードが表示された設定モード表示領域４３０と、を表示部３に表示させる。
【００７６】
これにより、補聴器５の状態が、整理された態様で調整者１０に提示される。その結果、調整者１０は、補聴器５の状態の把握を容易に把握することができる。
【００７７】
（４）
モニタリング部２１は、互いに対比された、補聴処理音３８と、補聴処理音３９と、ＵＣＬ３６と、ＨＴＬ３７と、を表示部３に表示させる。
【００７８】
これにより、調整者１０は、複数の異なるモードにおける補聴処理によって得られた音の音量を、容易に比較することができる。また、調整者１０は、補聴器５を調整するための基準を確認できる。
【００７９】
（５）
この補聴器調整装置１では、補聴器５と通信可能に配置され、補聴処理音３８と、補聴処理音３９と、動作モード情報４０と、が補聴器５から入力される読み込み部２０を有している。
【００８０】
これにより、補聴器５における補聴処理により得られた補聴処理音３８および補聴処理音３９が補聴器調整装置１に入力される。したがって、調整者１０は、補聴器５の状態を直接的に知ることができる。
【００８１】
（６）
モニタリング部２１は、表示部３に、補聴処理音３８の音量に対応するグラフおよび補聴処理音３９の音量に対応するグラフを重ね合わせて、それぞれを互いに異なる色で表示させている。
これにより、調整者１０は、視覚によって、容易に補聴器５の状態を把握できる。
【００８２】
〔第２実施形態〕
図７を用いて第２実施形態について説明する。
【００８３】
図７は、第２実施形態に係る補聴器調整装置１の機能ブロックである。
なお、第１実施形態の実質的に同様の機能を有する構成については、第１実施形態と同じ符号を付すものとし、その詳細な説明を省略する。
【００８４】
上記の第１実施形態では、標準モードに相当する補聴処理パラメタを用いて増幅処理が行われた補聴処理音３８と、付加機能による補聴処理がさらに行われた補聴処理音３９と、付加機能の有効状態を表す動作モード情報４０とを、補聴処理部１７を介して補聴器５が出力するとしていた。しかしながら、補聴処理音３８および補聴処理音３９は、必ずしも補聴器５から補聴器調整装置１に入力される必要はない。
【００８５】
例えば、補聴器５と補聴器調整装置１との間の通信速度が遅い場合が考えられる。この場合に、補聴処理部１７を介して、本体マイク１６で捕らえられた補聴処理が施される前の音情報および、付加機能の有効状態を表す動作モード情報４０のみが、補聴器５から補聴器調整装置１に送信されてもよい。これらの音情報および動作モード情報４０は、読み込み部２０を介して補聴器調整装置１に入力される。
【００８６】
本実施形態では、補聴器５から出力される音情報は、音出力部４から出力された評価音源に基づいている。補聴器５から出力される音情報は、本体マイク１６で捉えられた評価音源が補聴処理を施されることなく、そのまま音声信号に変換されることにより生成される。
【００８７】
補聴器調整装置１のシミュレーション部５１は、補聴器５から入力された音情報および動作モード情報４０と、補聴器調整装置１の補聴器モデルデータ保持部５０に格納された、補聴器５の信号処理方法などのモデルデータと、に基づいて、補聴器５の処理をシミュレーションする。また、シミュレーション部５１は、標準モードをシミュレーションして、補聴処理音３８を算出する。さらに、シミュレーション部５１は、動作モードをシミュレーションして、補聴処理音３９を算出する。ここで、動作モードのシミュレーションにおいては、シミュレーション部５１は、風抑制機能をシミュレーションする。
【００８８】
その結果得られた補聴処理音３８と補聴処理音３９とに基づいて、モニタリング部２１が、表示部３に、図４，図５，図６に相当するモニタリング画面を表示させる。
【００８９】
一般に、計算速度においては、補聴器５内部のプロセッサの性能よりも、補聴器調整装置１を動作させる処理装置（例えば、ＰＣ（personal computer））の性能の方が優れている。また、接続ボックス６を通じて行われる通信の速度が上記の第１実施形態での処理を実現するには不十分である場合も考えられる。
【００９０】
これらの場合であっても、本実施形態に係る補聴器調整装置１に採用された方法により、補聴器５の誤調整の発生を抑制するという目的を実現できる。
【００９１】
〔他の実施形態〕
以上、本発明の第１実施形態および第２実施形態について説明したが、本発明は上記実施形態に限定されるものではなく、発明の要旨を逸脱しない範囲で種々の変更が可能である。
【００９２】
（Ａ）
上記の実施形態では、補聴処理音３８および補聴処理音３９（もしくは、補聴処理音４１および補聴処理音４２）が、音量を表示する一つのグラフに出力されていたが、本発明はこれに限られない。
【００９３】
図６は、他の実施形態に係るモニタリング画面６００を示している。モニタリング画面６００は、第１画面６１０と、第２画面６２０と、を有している。第１画面６１０および第２画面６２０は、動作モード表示領域４１０と、音量表示領域４２０と、設定モード表示領域４３０と、を含んでいる。
【００９４】
上記の実施形態では、図５に示すように、標準モードにおける補聴処理によって得られる補聴処理音４１の音量と、動作モードにおける補聴処理によって得られる補聴処理音４２の音量とが、互いに異なる態様で表示されていた。つまり、補聴処理音４１の音量に対応するグラフはハッチングされ、補聴処理音４２の音量に対応するグラフは着色されていた。
【００９５】
これに対して、図６に示すように、それぞれのモードの表示を、互いに共通の態様を用いつつ、２つの画面に分けて提示することも可能である。図６において、動作モードおよび標準モードは、それぞれ左の第２画面６２０および右の第１画面６１０に対応する。これにより、補聴処理音４１の音量に対応するグラフと、補聴処理音４２の音量に対応するグラフと、が並列に表示される。このような表示形態を用いても、補聴処理音４１と補聴処理音４２とを対比された状態で表示することができる。
【００９６】
また、図６では２つの画面が用いられていたが、補聴処理音４１の音量に対応する第１グラフと、補聴処理音４２の音量に対応する第２グラフと、が一つの画面内に表示されていてもよい。このように、補聴処理音４１および補聴処理音４２（もしくは、補聴処理音３８および補聴処理音３９）を区別して表示できれば、どのような表示形態が採用されてもよい。
【００９７】
（Ｂ）
上記の第２実施形態では、本体マイク１６に入力された評価音源が音情報に変換され、音情報が補聴器調整装置１に送信されるように制御されているが、本発明はこれに限られない。
【００９８】
例えば、これらの処理は省略されてもよい。すなわち、補聴器調整装置１が、補聴器５の本体マイク１６が検出するはずの評価音源をシミュレーションしてもよい。より詳細には、補聴器５と音出力部４（例えば、スピーカ）との間の距離などをパラメタ化する。そして、調整者１０が入力部２を介してパラメタを補聴器調整装置１に入力することによって、補聴器調整装置１は本体マイク１６に入力されるはずの音をそのパラメタに応じて算出する。
【００９９】
この場合には、本体マイク１６に入力された音に基づく音情報を補聴器調整装置１に送信する処理を行わなくてもよい。
【０１００】
（Ｃ）
上記の実施形態では、補聴器５と補聴器調整装置１とは接続ボックス６、配線７、および配線８を介して接続されていたが、本発明はこれに限られない。
例えば、補聴器５と補聴器調整装置１とが、無線通信により接続されても構わない。
【０１０１】
（Ｄ）
上記の実施形態では、制御部１１とモニタリング部２１とが別個に設けられているが、本発明はこれにかぎられない。
【０１０２】
例えば、制御部１１がモニタリング部２１の機能を兼ね備えていてもよい。
また、上記の実施形態の各処理をハードウェアにより実現してもよいし、ソフトウェア（ＯＳ（オペレーティングシステム）、ミドルウェア、あるいは、所定のライブラリとともに実現される場合を含む。）により実現してもよい。さらに、ソフトウェアおよびハードウェアの混在処理により実現してもよい。
【産業上の利用可能性】
【０１０３】
本発明の補聴器調整装置は、補聴器の状態を補聴器調整者が正しく認識できるようにして、補聴器の誤調整の発生を抑制するという効果を奏することから、各種補聴器の調整を行う補聴器調整装置に対して広く適用可能である。
【符号の説明】
【０１０４】
１      補聴器調整装置
２      入力部
３      表示部
４      音出力部
５      補聴器
６      接続ボックス
７，８    配線
９      使用者
１０      調整者
１１      制御部
１２      調整値メモリ
１３      書き込み部
１４      入力部
１５      補聴処理パラメタ保持部
１６      本体マイク（マイクの一例）
１８      レシーバ
１９      出力部
２０      読み込み部（通信部の一例）
２１      モニタリング部（表示制御部の一例）
２４      音源ＤＢ
３６      ＵＣＬ
３７      ＨＴＬ
３８      補聴処理音（第１の処理音の一例）
３９      補聴処理音（第２の処理音の一例）
４０      動作モード情報
４１      補聴処理音（第１の処理音の一例）
４２      補聴処理音（第２の処理音の一例）
５１      シミュレーション部
４１０    動作モード表示領域（第１表示領域の一例）
４２０    音量表示領域（第２表示領域の一例）
４３０    設定モード表示領域（第３表示領域の一例）
６１０    第１画面
６２０    第２画面
【図１】
0005526060.tif 000002
【図２】
0005526060.tif 000003
【図３】
0005526060.tif 000004
【図４】
0005526060.tif 000005
【図５】
0005526060.tif 000006
【図６】
0005526060.tif 000007
【図７】
0005526060.tif 000008